(57)【特許請求の範囲】
【請求項１】
チャネル状態情報CSIを確定する方法であって、
端末は非周期のCSI要求を受信し、前記端末のCSIプロセスを処理する能力及びCSI要求を受信する時刻に配置したCSIプロセスの個数y、又はCSI要求を受信する時刻に配置したCSIプロセスの個数yに基づきパラメータXを確定し、前記パラメータXに基づき最大X個の非周期CSIを更新することを含み、yとXはいずれも1以上の正の整数であり、前記パラメータXは、同一の時点で前記端末が更新する必要がある1つ或いは複数の非周期CSI要求内のCSIプロセス或いは報告の総個数であるチャネル状態情報CSIを確定する方法。
【請求項２】
前記CSIプロセスを処理する能力は前記端末が処理できる最大のCSIプロセスの個数Pを含み、
PがP0の以上である際に、CSI要求を受信する時刻に配置したCSIプロセスの個数yに基づき前記パラメータXの値を確定することを含み、前記P0は3或いは4であり、yはPの以下である請求項1に記載の方法。
【請求項３】
前記パラメータX＝yである請求項2に記載の方法。
【請求項４】
前記CSIプロセスを処理する能力は前記端末が処理できる最大のCSIプロセスの個数Pを含み、
PがP0の以上である際に、CSI要求を受信する時刻に配置したCSIプロセスの個数yと前記Pに基づき前記パラメータXの値を確定することを含み、P0は3或いは4である請求項1に記載の方法。
【請求項５】
前記Pの値が3と4のいずれかの一方であり、或いは前記Pの値が4だけである請求項2〜4のいずれか一項に記載の方法。
【請求項６】
前記端末が前記パラメータXに基づき最大X個の非周期のCSIを更新するのは、
前記端末は更新する必要がある非周期CSIの個数がXとYの両者の最小値Zであるのを確定し、Z個の非周期CSIを更新することを含み、
前記Yは報告待ちのCSIの個数である請求項1〜4のいずれか一項に記載の方法。
【請求項７】
前記端末が前記パラメータXに基づき最大X個の非周期CSIを更新するステップは、
受信したチャネル状態情報参考信号CSI-RSに基づきチャネル測定及び／又は干渉測定を行い、CSI参考資源を確定して、前記CSI参考資源に対応する非周期CSIを計算することを含む請求項1〜4のいずれか一項に記載の方法。
【請求項８】
前記端末が前記更新した非周期CSIをネットワーク側に報告することを更に含む請求項1〜4のいずれか一項に記載の方法。
【請求項９】
チャネル状態情報CSIを確定する端末であって、
非周期のCSI要求を受信するように設定される受信ユニットと、
前記端末のCSIプロセスを処理する能力及びCSI要求を受信する時刻に配置したCSIプロセスの個数y、又はCSI要求を受信する時刻に配置したCSIプロセスの個数yに基づきパラメータXを確定するように設定される確定ユニットと、
前記パラメータXに基づき最大X個の非周期のCSIを更新するように設定される更新ユニットと、を含み、
yとXはいずれも1以上の正の整数であり、前記パラメータXは、同一の時点で前記端末が更新する必要がある1つ或いは複数の非周期CSI要求内のCSIプロセス或いは報告の総個数であるチャネル状態情報CSIを確定する端末。
【請求項１０】
前記CSIプロセスを処理する能力は前記端末が処理できる最大のCSIプロセスの個数Pを含み、
前記確定ユニットは、PがP0の以上である際に、CSI要求を受信する時刻に配置したCSIプロセスの個数yに基づき前記パラメータXの値を確定し、前記P0が3或いは4であり、yはPの以下である、という方式によって前記パラメータXを確定するように設定される請求項9に記載の端末。
【請求項１１】
前記パラメータX＝yである請求項10に記載の端末。
【請求項１２】
前記CSIプロセスを処理する能力は前記端末が処理できる最大のCSIプロセスの個数Pを含み、
前記確定ユニットは、PがP0の以上である際に、CSI要求を受信する時刻に配置したCSIプロセスの個数yと前記Pに基づき前記パラメータXの値を確定し、P0が3或いは4である、という方式によって前記パラメータXを確定するように設定される請求項9に記載の端末。
【請求項１３】
前記確定ユニットは、前記Pの値が3と4のいずれかの一方であり、或いは前記Pの値が4だけである、という方式によって前記パラメータXを確定するように設定される請求項10〜12のいずれか一項に記載の端末。
【請求項１４】
前記更新ユニットは、更新する必要がある非周期CSIの個数がXとY両者の最小値Zであるのを確定し、Z個の非周期CSIを更新する、という方式によって前記パラメータXに基づき最大X個の非周期のCSIを更新するように設定され、
前記Yは報告待ちのCSIの個数である請求項9〜12のいずれか一項に記載の端末。
【請求項１５】
前記更新ユニットは、受信したチャネル状態情報参考信号CSI-RSに基づきチャネル測定及び／又は干渉測定を行い、CSI参考資源を確定して、前記CSI参考資源に対応する非周期CSIを計算する、という方式によって更新する必要がある各非周期CSIを更新するように設定される請求項9〜12のいずれか一項に記載の端末。
【請求項１６】
前記端末は前記更新した非周期CSIをネットワーク側に報告するように設定される報告ユニットを更に備える請求項9〜12のいずれか一項に記載の端末。
【発明の詳細な説明】
【技術分野】
【０００１】
本発明は移動無線通信分野に関し、特に無線通信システムにおける特定の伝送モードに対するチャネル状態情報を確定する端末及び方法に関する。
【背景技術】
【０００２】
無線通信技術において、基地局側（例えば進化したノードB、即ちeNB）が複数本のアンテナを使用してデータを送信する際に、空間多重化するようにデータ伝送速度を向上させることができ、即ち送信側に同じ時間周波数資源を使用して異なるアンテナ位置に異なるデータを送信し、受信側（例えばユーザー装置、User Equipment、UEと略称する）も複数本のアンテナを使用してデータを受信する。シングルユーザーである場合にすべてのアンテナの資源を同一のユーザーに分配し、このユーザーは1つの送信間隔に独自に基地局側が分配した物理資源を占有し、このような伝送方式はシングルユーザー多入力多出力(Single User Multiple-Input Multiple-Out-put、SU-MIMOと略称する)と呼ばれ、マルチユーザーである場合に、異なるアンテナの空間資源を異なるユーザーに分配し、1つのユーザーと少なくとも1つの他のユーザーは1つの送信間隔に基地局側が分配した物理資源をシェアし、シェア方式は空間分割多元接続方式或いは空間分割多重化方式であってよく、このような伝送方式はマルチユーザー多入力多出力(Multiple User Multiple-Input Multiple-Out-put、MU-MIMOと略称する)と呼ばれ、基地局側が分配した物理資源とは時間周波数資源を指す。伝送システムは同時にSU-MIMOとMU-MIMOをサポートする必要があると、eNBはUEにこの2種のモードでのデータを提供する必要がある。UEはSU-MIMOモード又はMU-MIMOモードにある際に、いずれもeNBが該UEにMIMOデータを伝送するためのランク（Rank）を知る必要がある。SU-MIMOモードで、すべてのアンテナの資源をいずれも同一のユーザーに分配し、MIMOデータを伝送するための層数はeNBがMIMOデータを伝送するためのランクにイコールし、MU-MIMOモードで、1つのユーザー伝送に対応して用いられた層数はeNBがMIMOデータを伝送する総層数より少なく、SU-MIMOモードとMU-MIMOの切り替えを行うと、eNBは異なる伝送モードでUEに異なる制御データを通知する必要がある。
【０００３】
長期進化システム（LTE：Long Term Evolution）において、アップリンクに伝送する必要がある制御シグナリングは肯定／否定応答情報（ACK／NACK：Acknowledgement／Negative Acknowledgement）、及びダウンリンク物理チャネル状態情報（CSI：Channel State Information）を反映する3種の形式を有する。前記3種の形式とは、チャネル品質指示（CQI：Channel quality indication）、プリコーディング行列指示（PMI：Pre-coding Matrix Indicator）、ランク指示（RI：Rank Indicator）を指す。
【０００４】
CQIはダウンリンクチャネル品質の良否を評価する指標である。36-213プロトコルにおいてCQIは0〜15の整数値で表し、それぞれ異なるCQIレベルを代表し、異なるCQIは各自のMCS(Modulation and Coding Scheme、変調及び符号化方式)に対応し、表 1を参照する。CQIレベルの選択は、
選択されたCQIレベルは、該CQIに対応したPDSCH（Physical Downlink Shared Channel、物理ダウンリンクシェアチャネル）伝送ブロックを対応なMCSでのブロック誤り率が0.1を超えなくてはいけない、という準則に従うべきである。
【０００５】
周波数領域と時間領域における1つの無制限の検出間隔に基づき、UEは最高のCQI値を取得することになり、アップリンクサブフレームnに報告した各最大CQI値に対応して、CQIの番号範囲は1〜15であり、且つ以下の条件を満たし、CQI番号1が該条件を満たさないと、CQI番号が0であり、単一の1つのPDSCH伝送ブロックが受信される際に誤り率は0.1を超えなく、PDSCH伝送ブロックは変調方式と伝送ブロックの大きさという結合情報を含み、1つのCQI番号及び占めた1組のダウンリンク物理資源ブロック、即ちCQI参考資源に対応する。該最高のCQI値とは、BLER（Block Error Ratio、ブロック誤り率）が0.1以下であるのを確保する際の最大のCQI値を指し、資源分配の制御に有利である。一般的には、CQI値が小さいほど、占めた資源が多くなり、BLER性能がよりよい。
【０００６】
1つのCQI番号に対応する、伝送ブロックの大きさと変調方式を有する結合情報は、仮に、関連の伝送ブロックの大きさに基づき、CQI参考資源にPDSCHが伝送したこれらの結合情報をシグナリングによって通知することができ、また、
変調方式はCQI番号で表徴して参考資源に使用される伝送ブロックの大きさと変調方式を含む結合情報は、生じた有効チャネル符号化速度が、CQI番号が表徴できる接近する可能性が最も高い有効チャネル符号化速度である。1つ以上の該結合情報が存在し、それらは同様に近いCQI番号で表徴した有効チャネル符号化速度を生じすることができる際に、最小の伝送ブロックの大きさを有する結合情報を用いる。
【０００７】
各CQI番号は1種の変調方式と伝送ブロックの大きさに対応し、伝送ブロックの大きさとNPRBの対応関係は表で示すことができる。伝送ブロックの大きさとNPRBの大きさに基づき符号化速度を計算することができる。
【０００８】
LTEシステムにおいて、ACK／NACK応答情報は物理アップリンク制御チャネル（PUCCH：Physical Uplink Control）においてフォーマット1／1a／1b（PUCCH format1／1a1／b）で伝送され、端末（UE：User Equipment）はアップリンクデータを送信する必要がある際に、物理アップリンクシェアチャネル（PUSCH：Physical Uplink Shared Channel）において伝送され、CQI／PMI、RIのフィードバックは周期性のフィードバックであってよく、非周期性のフィードバックであってよく、具体的なフィードバックは表1に示すように、
表1  周期性フィードバック及び非周期性フィードバックに対応するアップリンク物理チャネル
0006037321.tif 000002
【０００９】
周期性フィードバックのCQI／PMI、RIにとって、UEはアップリンクデータを送信する必要がないと、周期フィードバックのCQI／PMI、RIはPUCCHにおいてフォーマット2／2a／2b（PUCCH format2／2a／2b）で伝送され、UEはアップリンクデータを送信する必要がある際に、CQI／PMI、RIはPUSCHにおいて伝送され、非周期性フィードバックのCQI／PMI、RIにとって、PUSCHだけにおいて伝送される。
【００１０】
長期進化（Long-Term Evolution、LTEと略称する）のバージョン8（Release 8）標準には物理ダウンリンク制御フォーマット指示チャネル（Physical Control Format Indicator Channel、PCFICHと略称する）、物理混合自動再送要求指示チャネル（Physical Hybrid Automatic Retransmission Request Indicator Channel、PHICHと略称する）及び物理ダウンリンク制御チャネル（Physical Downlink Control Channel、PDCCHと略称する）という3種のダウンリンク物理制御チャネルを定義した。PDCCHはダウンリンク制御情報（Downlink Control Information、DCIと略称する）をキャリアすることに用いられ、アップリンク、ダウンリンクスケジューリング情報、及びアップリンク電力制御情報を含む。DCIのフォーマット（DCI format）は、DCI format 0、DCI format 1、DCI format 1A、DCI format 1B、DCI format 1C、DCI format 1D、DCI format 2、DCI format 2A、DCI format 3及びDCI format 3A等に分けられ、MU-MIMOをサポートする伝送モード5はDCI format 1Dのダウンリンク制御情報を利用して、DCI format 1Dにおけるダウンリンク電力フィールド（Downlink power offset field）δpower-offsetはMU-MIMOモードにおいて1つのユーザーの電力を半分にする（即ち-10log10（2））情報を指示し、MU-MIMO伝送モード5は2つのユーザーのMU-MIMO伝送だけをサポートし、このダウンリンク電力フィールドによって、MU-MIMO伝送モード5はSU-MIMOモードとMU-MIMOモードの動的切り替えをサポートすることができるが、SU-MIMOモード又はMU-MIMOモードに関わらず、このDCI formatは1つのUEに対して1ストリームの伝送だけをサポートし、LTE Release 8は伝送モード4において最大2ストリームのシングルユーザー伝送をサポートするが、伝送モードの間の切り替えは半静的だけであるため、LTEバージョン8においてシングルユーザーのマルチストリーム伝送とマルチユーザー伝送の動的切り替えができない。
【００１１】
LTEのバージョン9（Release 9）において、ダウンリンクマルチアンテナの伝送を強化するために、デュアルストリームビームフォーミング（Beamforming）の伝送モードを引き入れ、伝送モード8として定義され、このような伝送モードをサポートするように、ダウンリンク制御情報はDCI format 2B を増加し、DCI format 2Bには1つのスクランブリングシーケンス身元（scrambling identity 、SCIDと略称する）の標識ビットを有して2つの異なるスクランブリングシーケンスをサポートし、eNBはこの2つのスクランブリングシーケンスを異なるユーザーに分配でき、同一の資源に複数のユーザーを多重化する。また、1つの伝送ブロックだけが有効になる場合に、無効にする（Disabled）伝送ブロックに対応した新しいデータ指示（NDI）ビットも単層伝送する際のアンテナポートを指示することに用いられる。
【００１２】
また、LTEのバージョン10（Release 10）において、更にダウンリンクマルチアンテナの伝送を強化するために、新しい閉ループ空間多重化の伝送モードを増加し、伝送モード9として定義され、このような伝送モードをサポートするように、ダウンリンク制御情報はDCI format 2Cを増加し、このような伝送モードはシングルユーザーSU-MIMOをサポートすることができるだけでなく、マルチユーザーMU-MIMOをサポートすることもでき、且つ両者の動的切り替えをサポートすることができ、またこのような伝送モードは更に8アンテナの伝送をサポートする。このような新しい伝送モードは既に復調パイロット周波数（UE Specific Reference Signal、URSと略称する）を復調用パイロット周波数として使用することを確定し、UEはパイロット周波数の位置を取得しなければ、パイロット周波数においてチャネルと干渉の推定を行うことができない。
【００１３】
R10バージョンにおいて、UEは高層のシグナリングによって半静的に（semi-statically）、以下の1種の伝送モード（transmission mode）に基づき、ユーザー装置の専有（UE-Specific）した検索空間のPDCCHの指示にしたがってPDSCHデータ伝送を受信するように設定され、
伝送モード1：単一アンテナポート、ポート0（Single-antenna port；port 0）、
伝送モード2：送信ダイバーシチ（Transmit diversity）、
伝送モード3：オープンループ空間多重化（Open-loop spatial multiplexing）、
伝送モード4：閉ループ空間多重化（Closed-loop spatial multiplexing）、
伝送モード5：マルチユーザー多入力多出力（Multi-user MIMO）、
伝送モード6：閉ループRank=1プリコーディング（Closed-loop Rank=1 precoding）、
伝送モード7：単一アンテナポート、ポート5（Single-antenna port；port 5）、
伝送モード8：デュアルストリーム伝送、即ちデュアルストリームビームフォーミング、
伝送モード9：最大8層の伝送。(up to 8 layer transmission)。
【００１４】
R10バージョンにおいて、伝送モード9と測定参考信号CSI-RS (Channel-State Information - Reference Symbol)を新しく増加し、伝送モード9はCSI-RS又はCRS（Cell-specific reference signals、セル専用参考信号）に基づいてチャネル測定を行い、CQIを計算して取得する。その他の伝送モードはCRSに基づいてチャネル測定を行い、CQIを計算する。
【００１５】
周波数領域において、CSI参考資源は1組のダウンリンク物理資源ブロックで定義され、ダウンリンク物理資源ブロックはソースCQI値に対応する周波数帯域に対応し、時間領域において、CSI参考資源は1つのダウンリンクサブフレームで定義され、伝送層領域において、CSI参考資源はいずれかのRI及びPMIで定義され、CQIはPMI／RIを条件とする。
【００１６】
R10において、伝送モード9に対して、“二重コードブック”或いは“二重PMI”の新しい概念を引き入れるため、2つのPMIをフィードバックする必要があり、8アンテナに対して、第1のPMIはブロードバンドのチャネル状態情報を指示し、第2のPMIはサブバンドのチャネル状態情報を指示し、2つのPMIを取得しなければ完全なプリコーディング行列情報を取得することができなく、サブバンドはブロードバンドの状況を含み、2アンテナと4アンテナに対して、第1のPMIは単位行列を指示し、第2のPMIは元のR8プロトコルのPMIに等価する。
【００１７】
長期進化（Long Term Evolution、LTEと略称する）システムはR8／9／10といういくつかのバージョンを経た後に、更に、続いて正確的にR11技術を研究する。従来、一部のR8製品は徐々に商用になり、R9とR10はさらなる商品企画を待つ。
【００１８】
R8とR9階段を経て、R10は最初の2つの上で多くの新しい特性、例えばDMRS（Demodulation Reference Signal、復調参考信号）、CSI-RS(Channel State Information Reference Signal、チャネル状態情報参考信号)等のパイロット周波数特性、8アンテナサポート等の伝送とフィードバック特性等を増加し、特にeICIC（enhanced Inter-Cell Interference Cancelling、セル間干渉消去強化）技術はR8／9 ICIC(Inter-Cell Interference Cancelling、セル間干渉消去)を考えた上で、更にセルの間の干渉回避技術を考える。セルの間の干渉問題を解決する技術はR10階段の最初に主に同型ネットワークでのセル干渉回避を考え、主流としてeICIC技術とCoMP（Coordinated Multi-point、マルチポイント協調）技術を考える。明らかように、CoMPは複数のノードが協調して1つ或いは複数のUEに同じ時間周波数資源或いは異なる時間周波数資源でデータを送信する。CoMP技術はセルの間の干渉を減少し、セルエッジのスループットを向上させ、セルカバレッジを拡張することができる。しかし、検討の後期に異種ネットワークにより多くのシーンを引き入れること、CoMP技術の複雑性とR10検討の時間制限を考えるため、最終的に、R10階段に追加のCoMP標準化内容を引き入れないことを決めるが、CSI-RSを設計する際にCoMP部分の需要を考えて設計することができるため、CoMP技術は60bis会議の後により深く検討されない。
【００１９】
R10 CSI-RSの配置情報は主に非ゼロ電力CSI-RS配置シグナリングとゼロ電力CSI-RS配置シグナリングを含む。非ゼロ電力CSI-RS配置は主にテーブル索引の方式によって端末側に各非ゼロ電力CSI-RSが1つのサブフレームでの時間周波数資源位置を通知し、表2と表3に示すように、及びアンテナポート数配置によって端末側に非ゼロ電力CSI-RSが占めた時間周波数資源の数に対応したアンテナポートを通知してサブフレームバイアスと周期索引によって端末側にCSI-RSを受信しているサブフレームを通知し、表4に示す。
【００２０】
表2  CSI-RSが通常のサイクリックプレフィックスサブフレームで配置した資源マッピング
0006037321.tif 000003
表 3  CSI-RSが拡張したサイクリックプレフィックスサブフレームで配置した資源マッピング
0006037321.tif 000004
表4  CSI-RS サブフレーム配置
0006037321.tif 000005
【００２１】
ゼロ電力のCSI-RSは16ビットのbitmap（ビットマップ）シーケンスを利用して端末側にレートマッチングする必要がある資源要素を通知する。サブフレームバイアスと周期は端末側にゼロ電力CSI-RSが所在するサブフレームを通知し、表4に示す。
【００２２】
非ゼロ電力CSI-RSの目的は主に端末側にCSIを測定させて基地局側にフィードバックさせることである。ゼロ電力CSI-RSの主な目的はデータサービスがCSI-RSに対する干渉を減少してCSIを測定する精度を向上させることであり、基地局側で端末側にゼロ電力のCSI-RSの資源位置を通知し、端末側の仮想基地局はゼロ電力のCSI-RSの資源位置にPDSCH或いはその他の参考信号又はチャネルを配置しない。
【００２３】
R11はCoMPが標準に対する影響を考え、特に干渉測定資源の配置とゼロ電力CSI-RS資源配置を考える必要がある。最新の68bis会議で、ゼロ電力のCSI-RS資源を利用して干渉を測定することによって比較的正確である干渉推定性能を取得でき、同時に部分的にR10バージョン端末を両立でき、ゼロ電力CSI-RSを配置することによって干渉測定資源がPDSCH穿孔にもたらす性能損失を回避することは検討される。R11階段にゼロ電力CSI-RSによる干渉測定の方式を引き入れた後、端末側が認識する必要があるレートマッチング資源は以下の3種を含む必要がある。
【００２４】
1.非ゼロ電力CSI-RS資源。主に基地局側が8或いは4ポートの方式によってCSI-RSを送信し、端末側は最大4或いは2ポートだけをサポートし、この時、その他の認識できないポート位置にレートマッチングする必要があるものを指す。或いは基地局側はCSI-RSを送信するが、端末側がフィードバックモード1-0、2-0或いは3-0方式を用いて、この時、CSI-RSポートを配置する必要せず、ゼロ電力CSI-RSを配置すればよい。 
2.ゼロ電力CSI-RS資源はデータサービスがCSI-RS測定に対する干渉を減少することに用いられる。
3.ゼロ電力CSI-RS資源は端末側が対応な資源位置に干渉を測定することに用いられる。
【００２５】
1、2に対してR10のゼロ電力CSI-RS配置の目的は同様であり、3に対して新しく増加するゼロ電力CSI-RSは干渉測定に用いられる。このため、R11に対して新しいゼロ電力CSI-RS配置方式は存在する必要があり、干渉測定に使用されることができ、干渉測定用ゼロ電力CSI-RSはIMR（Interference Measurement Resource、干渉測定資源）である。
【００２６】
従来のR8／9／10システムに対して、CRS(Cell Specific Reference Signal、セル参考信号)は各ダウンリンクの有効サブフレームがいずれも送信したものであるため、端末は各サブフレームに基づいてチャネル測定或いは干渉測定を行うことができ、各ダウンリンクの有効サブフレームはいずれも1つのCSI参考資源であってよく、R11のシステムに対して、CSI-RS及びIMRはいずれも周期的に配置されるため、各有効サブフレームがいずれも1つのCSI参考資源であることにしたがうと端末の計算の複雑さを増加してしまい、特にCoMP端末に対して、このような端末は複数のCSI Process（プロセス）のCSI（1つのCSI Processが1つのNZP(Non Zero Power、非ゼロ電力) CSI-RS配置と1つのIMR配置に対応する）を計算してフィードバックする必要があるわけである。
【００２７】
新しい伝送モードは複数のCSI ProcessのCSIフィードバックをサポートするため、CSIを確定する際に端末の複雑さが高く過ぎて、端末のコストが高く過ぎ、この問題は時分割複信TDDシステムに対してより顕著である。
【発明の概要】
【発明が解決しようとする課題】
【００２８】
本発明の実施例は、端末の複雑さが高く過ぎる問題を克服し、従来のシステムが伝送モード10とTDD複信方式を使用する際にコストが高く過ぎる問題を解決するためのチャネル状態情報を確定する端末及び方法を提供する。
【課題を解決するための手段】
【００２９】
本発明の実施例はチャネル状態情報を確定する方法を提供し、端末UEは非周期のチャネル状態情報CSI要求を受信し、前記端末のチャネル状態情報CSIプロセスProcessを処理する能力及び／又は現在に配置したCSIプロセスの個数yに基づきパラメータXを確定し、前記パラメータXに基づき最大Ｘ個の非周期CSIを更新することを含み、yとXはいずれも1以上の正の整数であり、前記パラメータXは、同一の時点で前記端末が更新する必要がある、1つ或いは複数の非周期CSI要求内のCSIプロセス或いは報告の総個数である。
【００３０】
上記の方法は更に、
前記CSIプロセスを処理する能力は前記端末が処理できる最大のCSIプロセスの個数Pを含み、
前記端末が前記端末のCSIプロセスを処理する能力及び／又は現在に配置したCSIプロセスの個数yに基づきパラメータXを確定するのは、
PがP0の以上である際に、現在に配置したCSIプロセスの個数yに基づき前記パラメータXの値を確定することを含み、前記P0は3或いは4である、という特徴を有してもよい。
【００３１】
上記の方法は更に、
前記パラメータX＝yである、という特徴を有してもよい。
【００３２】
上記の方法は更に、
前記CSIプロセスを処理する能力は前記端末が処理できる最大のCSIプロセスの個数を含み、
前記端末が前記端末のCSIプロセスを処理する能力及び／又は現在に配置したCSIプロセスの個数yに基づきパラメータXを確定するのは、
PがP0の以上である際に、現在に配置したCSIプロセスの個数yと前記Pに基づき前記パラメータXの値を確定することを含み、P0は3或いは4である、という特徴を有してもよい。
【００３３】
上記の方法は更に、
前記Pの値が3と4のいずれかの一方であり、或いは前記Pが4だけを取る、という特徴を有してもよい。
【００３４】
上記の方法は更に、
前記端末が前記パラメータXに基づき最大X個の非周期のCSIを更新するのは、
前記端末は更新する必要がある非周期CSIの個数がXとYの両者の最小値Zであるのを確定し、Z個の非周期CSIを更新することを含み、
前記Yは報告待ちのCSIの個数である、という特徴を有してもよい。
【００３５】
上記の方法は更に、
前記端末が前記パラメータXに基づき最大X個の非周期CSIを更新するステップは、
受信したチャネル状態情報参考信号CSI-RSに基づきチャネル測定及び／又は干渉測定を行い、CSI参考資源を確定して、前記CSI参考資源に対応する非周期CSIを計算することを含む、という特徴を有してもよい。
【００３６】
上記の方法は更に、
前記方法は、前記端末は前記更新した非周期CSIをネットワーク側に報告することを更に含む、という特徴を有してもよい。
【００３７】
本発明の実施例はチャネル状態情報を確定する端末UEを更に提供し、前記端末は、
非周期のCSI要求を受信するように設定される受信ユニット、
前記端末のCSIプロセスを処理する能力及び／又は現在に配置したCSIプロセスの個数yに基づきパラメータXを確定するように設定される確定ユニット、及び
前記パラメータXに基づき最大X個の非周期のCSIを更新するように設定される更新ユニット、を備え、
yとXはいずれも1以上の正の整数であり、前記パラメータXは、同一の時点で前記端末が更新する必要がある、1つ或いは複数の非周期CSI要求内のCSIプロセス或いは報告の総個数である。
【００３８】
上記の端末は更に、
前記CSIプロセスを処理する能力は前記端末が処理できる最大のCSIプロセスの個数Pを含み、
前記確定ユニットは、PがP0の以上である際に、現在に配置したCSIプロセスの個数yに基づき前記パラメータXの値を確定し、前記P0が3或いは4である、という方式によって前記パラメータXを確定するように設定される、という特徴を有してもよい。
【００３９】
上記の端末は更に、
前記パラメータX＝yである、という特徴を有してもよい。
【００４０】
上記の端末は更に、
前記CSIプロセスを処理する能力は前記端末が処理できる最大のCSIプロセスの個数Pを含み、
前記確定ユニットは、PがP0の以上である際に、現在に配置したCSIプロセスの個数yと前記Pに基づき前記パラメータXの値を確定し、P0が3或いは4である、という方式によって前記パラメータXを確定するように設定される、という特徴を有してもよい。
【００４１】
上記の端末は更に、
前記確定ユニットは、前記Pの値が3と4のいずれかの一方であり、或いは前記Pが4だけを取る、という方式によって前記パラメータXを確定するように設定される、という特徴を有してもよい。
【００４２】
上記の端末は更に、
前記更新ユニットは、更新する必要がある非周期CSIの個数がXとY両者の最小値Zであるのを確定し、Z個の非周期CSIを更新する、という方式によって前記パラメータXに基づき最大X個の非周期のCSIを更新するように設定され、
前記Yは報告待ちのCSIの個数である、という特徴を有してもよい。
【００４３】
上記の端末は更に、
前記更新ユニットは、受信したチャネル状態情報参考信号CSI-RSに基づきチャネル測定及び／又は干渉測定を行い、CSI参考資源を確定して、前記CSI参考資源に対応する非周期CSIを計算する、という方式によって更新する必要がある各非周期CSIを更新するように設定される、という特徴を有してもよい。
【００４４】
上記の端末は更に、
前記端末は前記更新した非周期CSIをネットワーク側に報告するように設定される報告ユニットを更に備える、という特徴を有してもよい。
【発明の効果】
【００４５】
以上のように、本発明の実施例の手段を用いて、いずれかのシステムの複雑さとシグナリングオーバーヘッドを増加しない場合に、伝送モード11或いは以降の伝送モードに対して、UEの処理能力と配置したCSI Processの個数を考えて更新する必要がある非周期のCSIの個数を決め、データCSI計算量を合理的に制限し、端末が合理的な複雑さを有することを確保し、端末が合理的なコストを有することを確保する。
【図面の簡単な説明】
【００４６】
【図１】図1は本発明の方法実施例におけるチャネル状態情報を確定する方法のフローチャートである。
【図２】図2は本発明の実施例における端末の構造模式図である。
【発明を実施するための形態】
【００４７】
以下で、図面を参照して本発明の実施例を詳しく説明する。なお、衝突しない場合に、本願における実施例及び実施例における特徴を互いに任意に組み合わせることができる。
【００４８】
本発明の技術的解決手段を紹介する前に、まず、CSI参考資源を簡単に紹介し、
まず、時間領域、周波数領域、伝送領域という3つの点からCSI参考資源を説明する。
【００４９】
周波数領域には、CSI参考資源は1組のダウンリンク物理資源ブロックによって定義され、これらの資源ブロックは得られたCQI値に関連する一部の帯域幅に対応し、
時間領域には、CSI参考資源は1つの唯一なダウンリンクサブフレームn-nCQI_ref によって定義され、
ここで、周期CSI報告に対してnCQI_ref は4以上の最小値であり、目的はそれが1つの合理的な（valid）ダウンリンクサブフレームに対応することができることである。
【００５０】
ここで、非周期CSI報告に対してnCQI_refは以下のようなサブフレームであり、参考資源は対応なCSI要求のサブフレームと同じvalidサブフレームに現れ、このCSI要求は1つのアップリンクDCI format(ダウンリンク制御シグナリングフォーマット) に現れる。
【００５１】
ここで、非周期のCSI報告に対してnCQI_refは4に等しく且つダウンリンクサブフレームn-nCQI_refは1つのvalidのダウンリンクサブフレームに対応し、ここで、ダウンリンクサブフレームn-nCQI_refは対応なCSI要求のサブフレームを有した後に受信され、このCSI要求は1つのランダムアクセス応答授権（Random Access Response Grant）に現れる。
【００５２】
伝送領域には、CSI参考資源はPMIとRIによって定義され、CQIはPMIとRIを条件とする。
【００５３】
方法実施例
本実施例はチャネル状態情報を確定する方法を提供し、図1に示すように、
UEは非周期のCSI要求を受信するステップ101、
UEは前記UEのチャネル状態情報プロセスCSI Processを処理する能力及び／又は現在に配置したCSI Processの個数yに基づきパラメータXを確定し、yは1以上の正の整数であるステップ102、及び
Xに基づき最大X個の非周期のCSIを更新するステップ103を含む。
【００５４】
前記CSI Processを処理する能力は前記端末が処理できる最大のCSI Processの個数Pを含み、Pは1以上の正の整数であり、
前記パラメータXは、同一の時点で前記端末が更新する必要がある1つ或いは複数の非周期CSI要求内のCSI Process或いは報告の総個数である。
【００５５】
Ｐとyに基づきXを確定する過程は、前記端末が処理できる最大のCSI Processの個数PがP0の以上である際に、現在に配置したCSI Process 個数に基づきXの値を確定し、例えば、X=y、或いは、前記端末が処理できる最大のCSI Processの個数PがP0の以上である際に、現在に配置したCSI Processの個数と前記端末が処理できる最大のCSI Processの個数Pに基づきXの値を確定することができることを含む。
【００５６】
Xに基づき最大X個の非周期のCSIを更新するのは、端末が更新する必要がある非周期CSIの個数Zを確定し、Z個の非周期CSIを更新することを含み、Z=min(X,Y)であり、minはX、Yの中の値が最小値を求めることを表し、前記Yは報告待ちのCSIの個数である。
【００５７】
更新する必要がある各非周期CSIを更新する過程は、受信したチャネル状態情報参考信号CSI-RSに基づきチャネル測定及び／又は干渉測定を行い、CSI参考資源を確定して、その後、前記端末はCSI参考資源に対応するCQI値を計算することを含む。
【００５８】
好ましくは、1つのCSI Processは1つ或いは複数の前記の報告待ちのCSIに対応することができる。
【００５９】
好ましくは、端末は更新した非周期CSIをネットワーク側に報告する。
【００６０】
以下で、2つのより具体的な実施によって如何にXを確定するのかを説明する。
【００６１】
実施例1
P=3或いは4、y＝2、3及び4である際に、 Xの値はyであり、
報告待ちのCSIの個数をY個とし、更新する必要がある非周期CSIの個数がZ=min(X,Y)であり、minは２つの値が最小値を求めることを表す。端末はZ個の非周期のCSIを更新する。
【００６２】
Yが1にイコールする際に、Xに対する制限がない。
【００６３】
現在、yの可能な値は1、2、3及び4であり、Pの可能な値は1、3、4である。
【００６４】
要するに、ここのCSIの計算方法は十分にUEの能力と配置したCSI Processの個数を考えて更新する必要がある非周期のCSIの個数を決める。データCSIの計算量を合理的に制限し、端末が合理的な複雑さを有することを確保し、端末が合理的なコストを有することを確保し、特に時分割複信システムに適用する。
【００６５】
実施例2
P=3、y=2又は3であると、Xの値はPであり、
P=4、y=2又は3であると、Xの値はmin(P,3)であり、そうでないと、y＝4である際に、Xの値はPであり、
報告待ちのCSIの個数をY個とし、更新する必要がある非周期CSIの個数はZ=min(X,Y)であり、minは2つの値が最小値を求めることを表す。端末はZ個の非周期のCSIを更新する。
【００６６】
yが1にイコールする際に、Xに対する制限がない。
【００６７】
現在、yの可能な値は1、2、3及び4であり、Pの可能な値は1、3、4である。
【００６８】
端末実施例
本実施例はチャネル状態情報を確定する端末を提供し、図2に示すように、
非周期のCSI要求を受信するように設定される受信ユニット、
前記端末のチャネル状態情報プロセスCSI Processを処理する能力及び／又は現在に配置したCSI Processの個数yに基づきパラメータXを確定するように設定される確定ユニット、
前記パラメータXに基づき最大X個の非周期のCSIを更新するように設定される更新ユニット、及び
前記更新した非周期CSIをネットワーク側に報告するように設定される報告ユニット、を備える。
【００６９】
前記パラメータXは、同一の時点で前記端末が更新する必要がある1つ或いは複数の非周期CSI要求内のCSIプロセス或いは報告の総個数である。 
【００７０】
前記CSI Processを処理する能力は前記端末が処理できる最大のCSI Processの個数を含み、
前記確定ユニットが前記パラメータXを確定する過程は、
前記端末が処理できる最大のCSI Processの個数PはP0以上である際に、現在に配置したCSI Processの個数yに基づき前記パラメータXの値を確定することを含み、前記P0は3或いは4である。
【００７１】
一実施形態によれば、前記パラメータX＝yである。
【００７２】
前記CSI Processを処理する能力は前記端末が処理できる最大のCSI Processの個数を含み、
前記確定ユニットが前記パラメータXを確定する過程は、
前記端末が処理できる最大のCSI Processの個数PはP0以上である際に、現在に配置したCSI Processの個数yと前記Pに基づき前記パラメータXの値を確定することを含み、P0は3或いは4である。
【００７３】
前記Pの値は3と4のいずれかの一方であり、或いは前記Pは4だけを取る。
【００７４】
前記更新ユニットが前記パラメータXに基づき最大X個の非周期のCSIを更新するのは、
前記更新ユニットは更新する必要がある非周期CSIの個数がXとY両者の最小値Zであるのを確定し、Z個の非周期CSIを更新することを含み、
前記Yは報告待ちのCSIの個数である。
【００７５】
前記更新ユニットは、
受信したチャネル状態情報参考信号CSI-RSに基づきチャネル測定及び／又は干渉測定を行い、CSI参考資源を確定して、前記CSI参考資源に対応する非周期CSIを計算する、という方式によって更新する必要がある各非周期CSIを更新する。
【００７６】
当業者は、上記方法における全部又は一部のステップは、プログラムで関連のハードウェアを指令することにより完成することができ、前記プログラムはコンピュータ可読記憶媒体、例えば読み出し専用メモリ、ディスク又はＣＤなどに記憶することができることを理解することができる。選択的に、上記実施例の全部又は一部のステップは、１つ又は複数の集積回路を採用して達成することもできる。対応的には、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００７７】
以上は本発明の実施例だけであり、本発明を制限することがなく、当業者にとって、本発明は各種の変更と変化を行うことができる。本発明の精神と原則にある限り、行ったいずれかの修正、等同置き換え、改善等は、いずれも本発明の請求項の範囲に含まれるべきである。
【産業上の利用可能性】
【００７８】
本発明の実施例は、いずれかのシステムの複雑さとシグナリングオーバーヘッドを増加しない場合に、伝送モード11或いは以降の伝送モードに対して、UEの処理能力と配置したCSI Processの個数を考えて更新する必要がある非周期のCSIの個数を決め、データCSI計算量を合理的に制限し、端末が合理的な複雑さを有することを確保し、端末が合理的なコストを有することを確保する。
【図１】
0006037321.tif 000006
【図２】
0006037321.tif 000007